(57)【要約】【課題】よりコンパクトで、かつより一層騒音が低減された蒸気タービンを提供する。【解決手段】蒸気タービン１は、軸線Ａｃ回りに回転するロータ５、及び、ロータ５を覆いロータ５とともに蒸気が軸線Ａｃ方向に流通する流路を形成するケーシング６、を有するタービン本体１１と、ケーシング６の軸線Ａｃ方向における蒸気の高圧側領域６１と低圧側領域６２とのうちの高圧側領域６１において、ケーシング６の外面に接して設けられた保温材１２と、高圧側領域６１と低圧側領域６２とのうちの低圧側領域６２において、ケーシング６の外面との間に空間を介して覆う防音カバー１３と、を備える。【選択図】図１
2020114999.tif 000002
【特許請求の範囲】
【請求項１】
軸線回りに回転するロータ、及び、前記ロータを覆い前記ロータとともに蒸気が前記軸線の延びる軸線方向に流通する流路を形成するケーシング、を有するタービン本体と、
前記ケーシングの前記軸線方向における前記蒸気の高圧側領域と低圧側領域とのうちの前記高圧側領域において、前記ケーシングの外面に接して設けられた保温材と、
前記高圧側領域と前記低圧側領域とのうちの前記低圧側領域において、前記ケーシングの外面との間に空間を介して覆う防音カバーと、を備える蒸気タービン。
【請求項２】
前記防音カバーは、複数の消音孔が互いに間隔をあけて形成された消音多孔板を有する請求項１に記載の蒸気タービン。
【請求項３】
前記防音カバーは、前記ケーシングの前記外面から離れる方向に間隔をあけて配列された複数の前記消音多孔板を有し、
前記外面から離れる方向から見て、互いに隣り合う一対の前記消音多孔板同士では、前記消音孔の位置がずれている請求項２に記載の蒸気タービン。
【請求項４】
前記防音カバーは、前記消音多孔板よりも前記ケーシングの外面に近い位置に配置され、複数の吸音孔が互いに間隔をあけて形成された吸音多孔板をさらに有し、
前記吸音孔の径寸法は、前記消音孔の径寸法よりも小さい請求項２又は３に記載の蒸気タービン。
【請求項５】
前記低圧側領域と前記高圧側領域とでは、前記ケーシングは異なる部材で形成されており、
前記低圧側領域での前記ケーシングは、前記高圧側領域での前記ケーシングよりも厚さが薄く形成されている請求項１から４のいずれか一項に記載の蒸気タービン。
【請求項６】
軸線回りに回転するロータ、及び、前記ロータを覆い前記ロータとともに蒸気が前記軸線方向に流通する流路を形成するケーシング、を有するタービン本体と、前記ケーシングの前記軸線方向における前記蒸気の高圧側領域と低圧側領域とのうちの前記高圧側領域において、前記ケーシングの外面に接して設けることが可能な保温材と、前記高圧側領域と前記低圧側領域とのうちの前記低圧側領域において、前記ケーシングの外面との間に空間を介して覆うことが可能な防音カバーとを準備する工程と、
前記ケーシングの前記高圧側領域における前記外面に前記保温材を取り付ける保温材取付工程と、
前記ケーシングの前記低圧側領域における前記外面との間に空間をあけて前記防音カバーを取り付ける防音カバー取付工程と、を含む蒸気タービンの施工方法。
【発明の詳細な説明】
【技術分野】
【０００１】
本発明は、蒸気タービン、及び蒸気タービンの施工方法に関する。
【背景技術】
【０００２】
一般的に蒸気タービンは、軸線回りに回転するロータと、ロータを外側から覆うことでロータとの間に蒸気流路を形成するケーシングと、を備えている。ロータは、軸線に沿って延びる柱状の回転軸と、回転軸の外周面に配列された複数の動翼と、を有する。ケーシングの内周面には、動翼と軸線方向に互い違いとなるように配列された複数の静翼（ノズル）が設けられている。蒸気流路中を高温高圧の蒸気が流通する際に、これら動翼及び静翼に蒸気が衝突する。動翼に衝突した蒸気はロータに回転力を与え、静翼に衝突した蒸気は下流側の動翼に向けて案内及び整流される。
【０００３】
このような蒸気タービンの運転中には、蒸気が動翼（静翼）を流通する際の風切音等を主因として騒音が発生する。このような騒音を低減するために、蒸気タービンを保温するために保温材を利用する場合がある。例えば、特許文献１では、複数の異なる材料が層状に設けられた保温層をケーシングの外表面上に隙間なく設けている。このような構造を用いることで、蒸気タービンの騒音がある程度は抑えられる。
【先行技術文献】
【特許文献】
【０００４】
【特許文献１】特開２００１−２２１０１１号公報
【発明の概要】
【発明が解決しようとする課題】
【０００５】
ここで、蒸気タービンでは、蒸気が流入してくる上流側の領域がより高圧となり、蒸気が排出される下流側の領域が低圧となる。そのため、高圧側のケーシングでは、ケーシングを構成する材料の板厚が大きく、低圧側では板厚が小さく設定されることが一般的である。したがって、低圧側では騒音がケーシングを通じて外部に伝播しやすい。さらに、低圧側では上述の動翼、又は静翼のブレードが高圧側のブレードよりも長い。これにより、低圧側ではブレードの風切音がより大きくなる傾向にある。これらの要因により、低圧側では高圧側に比べてより大きな騒音が生じやすい。したがって、低圧側における騒音を積極的に低減することが可能な技術に対する要請が高まっている。
【０００６】
ところが、上記特許文献１に記載された技術では、蒸気タービンの高圧側、低圧側を問わず、ケーシングが一様な厚みの保温層によって覆われているに留まる。したがって、低圧側では、騒音を十分に遮蔽できない可能性がある。
【０００７】
また、上記の特許文献１の構造以外に、より確実に騒音を低減するために、外衣と呼ばれる部屋を形成し、その内部に蒸気タービン全体を収容する構造も知られている。この外衣では、蒸気タービンのメンテナンスを行う場合を考慮して、外衣の内部に作業者が入れるだけの空間を確保する必要がある。そのため、蒸気タービンの周囲に大きなスペースを確保する必要がある。したがって、外衣で蒸気タービン全体を覆った場合には、装置全体の寸法体格が大きくなってしまう。
【０００８】
本発明は上記課題を解決するためになされたものであって、よりコンパクトで、より一層騒音が低減可能な蒸気タービン及び蒸気タービンの施工方法を提供することを目的とする。
【課題を解決するための手段】
【０００９】
本発明の第一の態様に係る蒸気タービンは、軸線回りに回転するロータ、及び、前記ロータを覆い前記ロータとともに蒸気が前記軸線の延びる軸線方向に流通する流路を形成するケーシング、を有するタービン本体と、前記ケーシングの前記軸線方向における前記蒸気の高圧側領域と低圧側領域とのうちの前記高圧側領域において、前記ケーシングの外面に接して設けられた保温材と、前記高圧側領域と前記低圧側領域とのうちの前記低圧側領域において、前記ケーシングの外面との間に空間を介して覆う防音カバーと、を備える。
【００１０】
上記構成によれば、ケーシングにおける低圧側領域が、空間を介して防音カバーによって覆われている。したがって、低圧側領域で発生する騒音を空間で減衰させつつ、防音カバーによって吸収及び減衰させることができる。さらに、ケーシングにおける高圧側領域は、ケーシングの外面に接する保温材によって覆われている。したがって、高圧側領域における熱の拡散を保温材によって低減することができる。加えて、高圧側領域で生じる騒音も、この保温材によって一定程度、吸収及び減衰させることができる。そのため、高圧側領域での騒音を保温材によって抑えつつ、騒音が特に発生しやすい低圧側領域での騒音を防音カバーによって、積極的に低減することができる。
【００１１】
本発明の第二の態様に係る蒸気タービンでは、前記防音カバーは、複数の消音孔が互いに間隔をあけて形成された消音多孔板を有してもよい。
【００１２】
上記構成によれば、ケーシングの外面から発せられた音は、消音多孔板の消音孔によって捕捉された後、減衰する。これにより、騒音をより一層低減することができる。
【００１３】
本発明の第三の態様に係る蒸気タービンでは、前記防音カバーは、前記ケーシングの前記外面から離れる方向に間隔をあけて配列された複数の前記消音多孔板を有し、前記外面から離れる方向から見て、互いに隣り合う一対の前記消音多孔板同士では、前記消音孔の位置がずれていてもよい。
【００１４】
上記構成によれば、消音多孔板が一つのみである構成に比べて、より一層騒音を低減することができる。さらに、互いに隣り合う一対の消音多孔板同士の間では、消音孔の位置がずれている。したがって、一方側の消音多孔板における消音孔を通過した音波は、他方側の消音多孔板における消音孔が形成されていない領域で反射される。消音多孔板同士の間の空間では、このような反射に加えて、一方側の消音多孔板を通じて当該空間に到達した他の音波との間で干渉が生じる。このような反射と干渉を経て、騒音をより一層低減することができる。
【００１５】
本発明の第四の態様に係る蒸気タービンでは、前記防音カバーは、前記消音多孔板よりも前記ケーシングの外面に近い位置に配置され、複数の吸音孔が互いに間隔をあけて形成された吸音多孔板をさらに有し、前記吸音孔の径寸法は、前記消音孔の径寸法よりも小さくてもよい。
【００１６】
上記構成によれば、消音多孔板よりもケーシングの外面に近い側に、吸音多孔板が配置されている。吸音多孔板には、消音孔よりも径寸法が小さい吸音孔が形成されている。これにより、吸音多孔板から見て消音多孔板側（即ち、ケーシングの外面から離れる側）では、吸音孔を入口とするヘルムホルツ共鳴器が形成される。即ち、吸音多孔板よりも消音多孔板側の空間内の空気がばねとして作用することにより、吸音多孔板を通過した音波の運動エネルギーの一部が熱エネルギーに変換される。その結果、消音多孔板のみを設けた場合に比べて、騒音をより一層低減することができる。
【００１７】
本発明の第五の態様に係る蒸気タービンでは、前記低圧側領域と前記高圧側領域とでは、前記ケーシングは異なる部材で形成されており、前記低圧側領域での前記ケーシングは、前記高圧側領域での前記ケーシングよりも厚さが薄く形成されていてもよい。
【００１８】
上記の構成によれば、ケーシングにおける低圧側領域が、ケーシングの外面に対して空間を介して防音カバーによって覆われている。そのため、低圧側領域でのケーシングの厚さに関わらず、騒音を抑えることができる。その結果、蒸気タービンの建造にかかるコストを抑えることができる。
【００１９】
本発明の第六の態様に係る蒸気タービンの施工方法は、軸線回りに回転するロータ、及び、前記ロータを覆い前記ロータとともに蒸気が前記軸線方向に流通する流路を形成するケーシング、を有するタービン本体と、前記ケーシングの前記軸線方向における前記蒸気の高圧側領域と低圧側領域とのうちの前記高圧側領域において、前記ケーシングの外面に接して設けることが可能な保温材と、前記高圧側領域と前記低圧側領域とのうちの前記低圧側領域において、前記ケーシングの外面との間に空間を介して覆うことが可能な防音カバーとを準備する工程と、前記ケーシングの前記高圧側領域における前記外面に前記保温材を取り付ける保温材取付工程と、前記ケーシングの前記低圧側領域における前記外面との間に空間をあけて前記防音カバーを取り付ける防音カバー取付工程と、を含む。
【００２０】
上記方法によれば、ケーシングに対して保温材、及び防音カバーがそれぞれ個別に取り付けられる。したがって、例えば保温材、及び防音カバーが一体に形成され、かつこれを一度に取り付ける場合に比べて、作業性を向上させることができる。これにより、蒸気タービンの建造及び施工に係るコストを抑えることができる。
【発明の効果】
【００２１】
本発明によれば、よりコンパクトで、かつより一層騒音が低減できる。
【図面の簡単な説明】
【００２２】
【図１】本発明の実施形態に係る蒸気タービンの構成を示す模式図である。
【図２】本発明の実施形態に係る防音カバーの構成を示す断面図である。
【図３】本発明の実施形態に係る防音カバーにおける孔の位置関係を示す説明図である。
【図４】本発明の実施形態に係る蒸気タービンの施工方法を示す工程図である。
【発明を実施するための形態】
【００２３】
本発明の実施形態について、図１から図４を参照して説明する。本実施形態に係る蒸気タービンシステム１００は、蒸気タービン１と、発電機２と、台板３と、基礎４と、を備えている。蒸気タービン１は、タービン本体１１と、保温材１２と、防音カバー１３と、を備えている。タービン本体１１は、軸線Ａｃ回りに回転するロータ５と、ロータ５を覆うケーシング６と、を有している。詳しくは図示しないが、ロータ５は、軸線Ａｃを中心とする円柱状の回転軸と、回転軸の外周面に設けられた複数の動翼と、を有している。各動翼は、回転軸の外周面上で周方向に沿って配列されている。
【００２４】
ケーシング６は、軸線Ａｃを中心とする円筒状をなしている。ケーシング６の内周面とロータ５の外周面との間には空間（流路）が形成されている。この空間内では、蒸気が軸線Acの延びる軸線Ａｃ方向の一方側から他方側に向かって流通する。さらに、この空間には、ケーシング６の内周面から径方向の内側に向かって延びるとともに、軸線Ａｃ方向に間隔をあけて配列された複数の静翼が設けられている。各静翼は、複数の動翼に対して軸線Ａｃ方向に互い違いとなるように配列されている。流路内に流入した高温高圧の蒸気は、複数の動翼、及び複数の静翼に交互に衝突する。動翼に蒸気が衝突することで、ロータ５には回転力が付与される。静翼に衝突した蒸気は、下流側の動翼に向かって案内及び整流される。ロータ５の軸端には、発電機２が同軸上に接続されている。発電機２は、ロータ５の回転力によって駆動されることで電力を発生する。
【００２５】
詳しくは図示しないが、ボイラ等の蒸気発生源から供給された高温高圧の蒸気は、ケーシング６における軸線Ａｃ方向の一方側（上流側）の端部付近に形成された吸気口からケーシング６内の流路に流入する。流路を軸線Ａｃ方向の他方側（下流側）に向かって流通した蒸気は、上述の動翼、及び静翼に順次衝突しながら、次第に圧力が低くなる。即ち、タービン本体１１の軸線Ａｃ方向の一方側の領域では蒸気が高圧状態であるのに対して、軸線Ａｃ方向の他方側の領域では蒸気は相対的に低圧状態となる。以降の説明では、ケーシング６における軸線Ａｃ方向の一方側の部分を高圧側領域６１と呼び、他方側の部分を低圧側領域６２と呼ぶ。これら高圧側領域６１と低圧側領域６２とは、ケーシング６は互いに異なる部材によって別個に形成されている。低圧側領域６２におけるケーシング６の厚さは、高圧側領域６１におけるケーシング６の厚さよりも小さく形成されている。
【００２６】
また、ケーシング６における高圧側領域６１には、蒸気を内部に流入させる吸気口（不図示）が形成されている。ケーシング６における低圧側領域６２には、内部の蒸気を外部に排出させる排気口（不図示）が形成されている。ケーシング６における低圧側領域６２は、複数段の動翼及び静翼の内の少なくとも最終段（最も下流側）の動翼及び静翼を覆っている。本実施形態では、ケーシング６における低圧側領域６２は、例えば、最終段及び最終段の一つ上流側の段の二段の動翼及び静翼を覆っている。
【００２７】
例えば、ケーシング６における高圧側領域６１は、軸線Ａｃ方向の一方側から他方側に向かうに従って、軸線Ａｃに対する径方向の寸法が次第に増加する円錐状をなしている。一方で、ケーシング６における低圧側領域６２は、軸線Ａｃを中心とする有底円筒状をなしている。低圧側領域６２におけるケーシング６の外径寸法は、軸線Ａｃ方向の全域にわたって一定である。さらに、低圧側領域６２の外径寸法は、高圧側領域６１における軸線Ａｃ方向の他方側の端部（高圧側領域６１において最も外形寸法が大きい部分）の外径寸法よりも大きい。
【００２８】
ケーシング６における高圧側領域６１の外面（高圧側外面６１Ｓ）には、保温材１２が設けられている。保温材１２は、高圧側外面６１Ｓを外側から隙間なく接した状態で高圧側領域６１を覆っている。即ち、保温材１２の外観は、ケーシング６における高圧側領域６１の形状に倣っている。保温材１２として具体的には、ロックウール、ガラスウール、セラミックファイバー等の無機繊維からなる材料を用いることが望ましい。また、タービン本体１１が比較的低温で運転される物である場合等には、保温材１２としては、ポリアミド繊維や、ポリエチレンテレフタレート繊維に代表されるポリエステル繊維等の有機繊維からなる材料を用いてもよい。さらに、保温材１２は上記の繊維系材料の他、ポリウレタン等の発泡系材料であってもよい。このような保温材１２を設けることによって、高圧側領域６１の内部における蒸気の熱エネルギーの散逸が低減されるとともに、領域で発生した騒音が一定程度、吸収されるか又は減衰される。したがって、保温材１２は、高い保温性能だけでなく高い吸音性能を有する材料であって、高圧側外面６１Ｓに沿って形状を変化させることが可能となるように、可撓性の高い材料であることが好ましい。なお、この保温材１２は、ケーシング６における高圧側領域６１のみを覆っている。言い換えれば、保温材１２はケーシング６における低圧側領域６２には設けられていない。
【００２９】
ケーシング６における低圧側領域６２の外面（低圧側外面６２Ｓ）には、防音カバー１３が設けられている。防音カバー１３は、低圧側外面６２Ｓとの間に空間をあけた状態で低圧側領域６２を覆っている。防音カバー１３の外観は、ケーシング６における低圧側領域６２を覆う箱状をなしている。なお、この防音カバー１３は、ケーシング６における低圧側領域６２のみを覆っている。言い換えれば、防音カバー１３はケーシング６における高圧側領域６１には設けられていない。防音カバー１３は、例えば、上下分割構造とされている。防音カバー１３の下半部分はケーシング６に固定され、防音カバー１３お上半部分は下半部分に着脱可能とされている。なお、防音カバー１３の詳細な構成については後述する。
【００３０】
以上のように構成された蒸気タービン１及び発電機２は、台板３を介して基礎４の上部に配置されている。台板３は、例えばグラウト等の介在物を介して基礎４の上面に配置されている。台板３は、蒸気タービン１及び発電機２の施工に先立って水平出し、及び平面出しが施されている。基礎４は例えば強化コンクリートで形成されている。
【００３１】
次に、図２を参照して防音カバー１３の構成について詳述する。同図に示すように、防音カバー１３は、低圧側外面６２Ｓに対して空間（第一空間Ｖ１）をあけて配置されている。防音カバー１３は、低圧側外面６２Ｓから離れる方向に間隔をあけて配列された複数（本実施形態では三つ）の多孔板７と、これら多孔板７を保持するとともに、ケーシング６の低圧側領域６２に対して相対移動不能に固定する支持部材８と、を有している。
【００３２】
三つの多孔板７は、互いに平行となるように配置されている。三つの多孔板７のうち、最も低圧側外面６２Ｓに近い多孔板７は、吸音多孔板７１とされている。吸音多孔板７１には、複数の吸音孔Ｈ１が互いに間隔（等間隔）をあけて形成されている。吸音孔Ｈ１は、吸音多孔板７１を貫通している。これら吸音孔Ｈ１の径寸法は、後述する消音孔Ｈ１０の径寸法よりも小さく設定されている。
【００３３】
吸音多孔板７１から見て、低圧側外面６２Ｓとは反対側には、二つの消音多孔板７２が互いに間隔をあけて配置されている。ここでは、二つの消音多孔板７２のうち、吸音多孔板７１に近い側の消音多孔板７２を第一消音多孔板７２Ａと称する。また、第一消音多孔板７２Ａから見て吸音多孔板７１とは反対側に位置する消音多孔板７２を第二消音多孔板７２Ｂと称する。
【００３４】
吸音多孔板７１と第一消音多孔板７２Ａとの間の空間は、第二空間Ｖ２とされている。第一消音多孔板７２Ａと第二消音多孔板７２Ｂとの間の空間は、第三空間Ｖ３とされている。第一消音多孔板７２Ａ及び第二消音多孔板７２Ｂには、それぞれ複数の消音孔Ｈ１０が互いに間隔（等間隔）をあけて形成されている。各消音孔Ｈ１０の径寸法は、上述の吸音多孔板７１に形成された吸音孔Ｈ１の径寸法よりも大きく設定されている。また、消音孔Ｈ１０同士の間隔（ピッチ）は、吸音孔Ｈ１同士の間隔（ピッチ）よりも大きく設定されている。ここで、第一消音多孔板７２Ａに形成された消音孔Ｈ１０を第一消音孔Ｈ１１と称する。また、第二消音多孔板７２Ｂに形成された消音孔Ｈ１０を第二消音孔Ｈ１２と称する。
【００３５】
さらに、図３に示すように、第一消音多孔板７２Ａと第二消音多孔板７２Ｂとでは、消音孔Ｈ１０の形成されている位置が互いに異なっている。より具体的には、低圧側外面６２Ｓから離れる方向（即ち、低圧側外面６２Ｓの法線方向）から見て、第一消音孔Ｈ１１と、第二消音孔Ｈ１２とは互いに重ならないようにずれている。さらに正確には、これら第一消音孔Ｈ１１と第二消音孔Ｈ１２とでは、それぞれ中心位置が互いにずれている。隣り合う第一消音孔Ｈ１１のピッチと隣り合う第二消音孔Ｈ１２のピッチは、同じピッチとされている。なお、中心位置がずれている限りにおいて、第一消音孔Ｈ１１の一部のみと第二消音孔Ｈ１２の一部のみが互いに重複していてもよいが、完全に重複していないことが好ましい。
【００３６】
図２に示すように、上述のように構成された三つの多孔板７は、支持部材８によってケーシング６（低圧側外面６２Ｓ）に固定されている。支持部材８は、吸音多孔板７１に当接する内側アングル部８１と、第二消音多孔板７２Ｂに当接する外側アングル部８２と、三つの多孔板７同士の間の間隔を確保するための二つのスペーサ８３と、ボルト８４及びナット８５と、を有している。
【００３７】
内側アングル部８１は、ケーシング６の低圧側領域６２における角部に配置されている。内側アングル部８１は、角部を外側から覆うように略Ｌ字状をなしている。内側アングル部８１は、互いに交差（直交）する方向に広がる一対の吸音多孔板７１同士を支持している。
【００３８】
外側アングル部８２は、内側アングル部８１のさらに外側に配置されている。外側アングル部８２は、角部を外側から覆う略Ｌ字状をなしている。外側アングル部８２は、互いに交差（直交）する方向に広がる一対の第二消音多孔板７２Ｂ同士を支持している。
【００３９】
各スペーサ８３は、吸音多孔板７１と第一消音多孔板７２Ａとの間、及び第一消音多孔板７２Ａと第二消音多孔板７２Ｂとの間にそれぞれ配置されている。ボルト８４は、内側アングル部８１、吸音多孔板７１、第一消音多孔板７２Ａ、第二消音多孔板７２Ｂ、二つのスペーサ８３、及び外側アングル部８２にそれぞれ形成された貫通孔に挿通された状態でナット８５に締結されている。
【００４０】
これにより、吸音多孔板７１、第一消音多孔板７２Ａ、及び第二消音多孔板７２Ｂが、内側アングル部８１及び外側アングル部８２によって挟み込まれた状態で保持されている。なお、詳しくは図示しないが、防音カバー１３の下半部分を形成する内側アングル部８１は、ケーシング６における低圧側領域６２に対して固定されている。
【００４１】
続いて、本実施形態に係る蒸気タービン１の施工方法について図４を参照して説明する。同図に示すように、この施工方法は、準備工程Ｓ１と、保温材取付工程Ｓ２と、防音カバー取付工程Ｓ３と、を含む。準備工程Ｓ１では、上述のタービン本体１１、保温材１２、及び防音カバー１３が準備される。具体的には、タービン本体１１が台板３を介して基礎４の上部に配置される。さらに、保温材１２が予め加工及び成形される。防音カバー１３は、上述の支持部材８によって三つの多孔板７を組んだ状態にしておく。その際、防音カバー１３は、タービン本体１１の上半側を覆う上半部分と、下半側を覆う下半部分とを別に準備しておくことが望ましい。
【００４２】
次に、保温材取付工程Ｓ２が実行される。保温材取付工程Ｓ２では、ケーシング６における高圧側領域６１に保温材１２が取り付けられる。この工程では、保温材１２が高圧側外面６１Ｓに接触させるように曲げながら、高圧側外面６１Ｓに固定されていく。
【００４３】
次いで、防音カバー取付工程Ｓ３が実行される。防音カバー取付工程Ｓ３では、高圧側領域６１に防音カバー１３が取り付けられる。この工程では、準備工程Ｓ１で予め組まれている防音カバー１３の下半部分がケーシング６における低圧側領域６２に固定される。その後、防音カバー１３の下半部分に対して上半部分が固定される。これにより、低圧側領域６２が防音カバー１３によって覆われる。以上により、本実施形態に係る蒸気タービン１の施工方法の全工程が完了する。
【００４４】
次いで、本実施形態に係る蒸気タービンシステム１００の動作について説明する。蒸気タービンシステム１００を運転するに当たっては、まず外部の蒸気供給源（ボイラ等）から高温高圧の蒸気が吸気口を介してケーシング６内部の流路に導かれる。蒸気は、動翼及び静翼に順次衝突することで、ロータ５に回転力を付与する。ロータ５の回転力は軸端から取り出され、ロータ５と同軸に接続された発電機２を回転駆動する。ここで、蒸気タービン１の運転中には、蒸気が動翼（静翼）を流通する際の風切音等を主因として騒音が発生する。そこで、蒸気タービン１が設置される環境基準等に合致するように、騒音を低減する必要がある。これに対し、本実施形態に係る蒸気タービン１では、上述の保温材１２、及び防音カバー１３がタービン本体１１に取り付けられている。
【００４５】
ここで、低圧側領域６２では、高圧側領域６１に比べて内部を流通する蒸気の圧力が低いため、ケーシング６の厚さも相対的に小さくされている。これにより、低圧側領域６２では、ケーシング６内で発生した音が、高圧側領域６１に比べて、外部に伝播しやすい。しかしながら、上記構成によれば、ケーシング６における低圧側領域６２が、ケーシング６の外面と空間を介して防音カバー１３によって覆われている。したがって、低圧側領域６２で発生する騒音を空間で減衰させつつ、防音カバー１３によって吸収及び減衰させることができる。
【００４６】
さらに、蒸気タービン１の熱効率を向上させる上で、高圧の蒸気が内部を流通する高圧側領域６１では、ケーシング６を通じた熱の拡散を抑えることが望ましい。上記の構成によれば、ケーシング６における高圧側領域６１は、ケーシング６の外面に接する保温材１２によって覆われている。したがって、高圧側領域６１における熱の拡散を保温材１２によって低減することができる。加えて、高圧側領域６１で生じる騒音も、この保温材１２によって一定程度、吸収及び減衰させることができる。そのため、高圧側領域６１での騒音を保温材１２によって抑えつつ、騒音が特に発生しやすい低圧側領域６２での騒音を防音カバー１３によって、積極的に低減することができる。さらに、蒸気タービン１の全体を、例えば外衣と呼ばれる構造物で覆った場合に比べて、装置全体の寸法体格を小さく抑えることができる。したがって、よりコンパクトで、より一層騒音が低減された蒸気タービン１を提供することができる。
【００４７】
さらに、ケーシング６の外面から発せられた音は、消音多孔板７２の消音孔Ｈ１０によって捕捉された後、減衰する。これにより、騒音をより一層低減することができる。
【００４８】
加えて、ケーシング６の外面から離れる方向に間隔をあけて複数の消音多孔板７２が設けられている。そのため、消音多孔板７２が一つのみである構成に比べて、より一層騒音を低減することができる。さらに、互いに隣り合う第一消音多孔板７２Ａと第二消音多孔板７２Ｂとでは、消音孔Ｈ１０の位置がずれている。したがって、第一消音多孔板７２Ａの第一消音孔Ｈ１１を通過した音波は、第二消音多孔板７２Ｂの第二消音孔Ｈ１２が形成されていない領域で反射される。さらに、第一消音多孔板７２Ａと第二消音多孔板７２Ｂとの間の第三空間Ｖ３では、このような反射に加えて、第一消音孔Ｈ１１を通じて第三空間Ｖ３に到達した他の音波との間で干渉が生じる。このような反射と干渉を経て、騒音をより一層低減することができる。
【００４９】
さらに加えて、第一消音多孔板７２Ａよりも低圧側外面６２Ｓに近い側に、吸音多孔板７１が配置されている。吸音多孔板７１には、消音孔Ｈ１０よりも径寸法が小さい吸音孔Ｈ１が形成されている。そのため、ケーシング６の外面から発せられた音は、第一消音多孔板７２Ａに到達する前に、消音孔Ｈ１０によって捕捉された後、減衰する。これにより、騒音をより一層低減することができる。
【００５０】
また、吸音多孔板７１が設けられていることで、吸音多孔板７１から見て消音多孔板７２側（即ち、低圧側外面６２Ｓから離れる側）では、吸音孔Ｈ１を入口とするヘルムホルツ共鳴器が形成される。即ち、吸音多孔板７１よりも消音多孔板７２側の空間（第二空間Ｖ２、第三空間Ｖ３）内の空気がばねとして作用することにより、吸音多孔板７１を通過した音波の運動エネルギーの一部が熱エネルギーに変換される。その結果、消音多孔板７２のみを設けた場合に比べて、騒音をより一層低減することができる。
【００５１】
ここで、低圧側領域６２では、高圧側領域６１に比べて内部を流通する蒸気の圧力が低い。そのため、ケーシング６の厚さも相対的に薄く形成されることが一般的である。その結果として、低圧側領域６２では、ケーシング６内の音が、高圧側領域６１に比べて、外部に伝播しやすい傾向にある。ケーシング６における低圧側領域６２が、低圧側外面６２Ｓに対して空間を介して防音カバー１３によって覆われている。そのため、低圧側領域６２でのケーシング６の厚さに関わらず、騒音を抑えることができる。その結果、蒸気タービン１の建造にかかるコストを抑えることができる。
【００５２】
さらに、上記方法によれば、ケーシング６に対して保温材１２、及び防音カバー１３がそれぞれ個別に取り付けられる。したがって、例えば保温材１２、及び防音カバー１３が一体に形成され、かつこれを一度に取り付ける場合に比べて、作業性を向上させることができる。これにより、蒸気タービン１の建造及び施工に係るコストを抑えることができる。
【００５３】
（実施形態の他の変形例）
以上、本発明の実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。また、本発明は実施形態によって限定されることはなく、特許請求の範囲によってのみ限定される。
【符号の説明】
【００５４】
１     蒸気タービン
２     発電機
３     台板
４     基礎
５     ロータ
６     ケーシング
７     多孔板
８     支持部材
１１   タービン本体
１２   保温材
１３   防音カバー
６１   高圧側領域
６１Ｓ 高圧側外面
６２   低圧側領域
６２Ｓ 低圧側外面
７１   吸音多孔板
７２   消音多孔板
７２Ａ 第一消音多孔板
７２Ｂ 第二消音多孔板
８１   内側アングル部
８２   外側アングル部
８３   スペーサ
８４   ボルト
８５   ナット
１００ 蒸気タービンシステム
Ａｃ   軸線
Ｈ１   吸音孔
Ｈ１１ 第一消音孔
Ｈ１２ 第二消音孔
Ｓ１   準備工程
Ｓ２   保温材取付工程
Ｓ３   防音カバー取付工程
Ｖ１   第一空間
Ｖ２   第二空間
Ｖ３   第三空間
【図１】
2020114999.tif 000003
【図２】
2020114999.tif 000004
【図３】
2020114999.tif 000005
【図４】
2020114999.tif 000006